(57)【要約】      （修正有）【課題】盗難の恐れがなく収納の機能を持たせた煤で黒くならない墓石用ロウソク立て付き香炉箱を提供する。【解決手段】石製灯籠用扉付き石製灯籠５を組み込むことにより盗難の恐れがなくなり、香炉箱に収納の機能を持たせおまいり用品、故人のぐい飲み、茶碗なども収納できる。前石製引き戸３、後ろ石製引き戸４を開き本考案の墓石用ロウソク立て付き香炉箱を通過して遺骨を墓石本体の遺骨収納部に収める。墓石用ロウソク立て付き香炉箱の上面に香呂１３を置き線香を使用する。【選択図】  図３
2006070682.tif 000002
【特許請求の範囲】
【請求項１】
石材で、香呂、皿、コップなどおまいり用品を収納できる香炉箱を作り、その両側に特許登録３０１２２００号の石製灯籠及び石製灯籠用扉を取り付けた墓石用ロウソク立て付き香炉箱。
【請求項２】
墓石用ロウソク立て付き香炉箱の前側に両側に開くことができる石製引き戸を取り付け、後ろ側にも同じように開閉できる石製引き戸を取り付け、同香炉箱を通過させて遺骨を収納部に納骨することができるようにした墓石用ロウソク立て付き香炉箱。
【請求項３】
墓石用ロウソク立て付き香炉箱の中央部は香呂などおまいり用品の収納庫とし、使用時には引き戸を開き、取り出し、同香炉箱の上面に置くことができるような形状に製作した請求項１の墓石用ロウソク立て付き香炉箱。
【発明の詳細な説明】
【技術分野】
【０００１】  この発明は墓石前面に置き、香呂などおまいり用品の収納庫であり、両側に特許登録３０１２２００号の石製灯籠及び石製灯籠用扉を組み込んだ墓石用ロウソク立て付き香炉箱で、納骨のときは、前引き戸を開け、後ろ引き戸を開け、同香炉箱を通過して、遺骨を収納部に納骨できるようにした墓石用ロウソク立て付き香炉箱に関するものである。
【背景技術】
【０００２】  墓石においてロウソク立ては、墓石本体前側の納骨入り口をふさぐ香炉と言われる石材の上部に金属でロウソクの受け皿を取り付けたもの、小型の石材の上に内部にロウソクが灯せるようガラスとステンレスで製作された灯籠形の風防灯と言う名称のもの、特許登録３０１２２００号のように石材に開閉扉を取り付けたものがある。
線香立ては納骨入り口をふさぐ香炉と言われる石材の上部に線香を入れる筒状の金属製の金具を取り付けたもの、石材をくりぬき、あるいは箱型に製作した石材の中に線香立て、ロウソク立ての金具が内部に組み込まれているステンレス製の箱をはめ込んだものであった。
【発明の開示】
【発明が解決しようとする課題】
【０００３】  特許登録３０１２２００号は墓石と同種の石材で製作でき高級感があり、ロウソクが消えることなく小型で使用しやすい反面、軽量高価であり、盗難の恐れがあり、納骨入り口をふさぐ香炉とは別に石材で一対墓石前面に置くため前側がすっきりしない問題があった。盗難については接着により固定することもできるが，角などの清掃などが困難であった。
神教においては水、酒、塩、米など、おまいりの時は供えるものであり、仏教の浄土真宗では、線香は、横にねかせて使用するものであるが、いままでの香炉では、これらのおまいり用品を収納することなどできず、おまいりのたびにこれらの用品を持参するしかなかった。
納骨については、今までの納骨入り口をふさぐ香炉については、重量が大であり、女性、老人などは動かせず、男性であっても香炉の角などを墓石本体にあてて欠けるなどの問題なども起きている。ステンレス製の箱をはめ込んだ香炉においては、箱の中で線香、ロウソクなどを使用するように製作されているため、内部が煤などで汚れる問題があった。
【課題を解決するための手段】
【０００４】  本発明は上記問題を解決するために考案されたものである。石材で台石を作り、上面の前側と後ろ側に左右に開くことができるような引き戸用溝を彫りこむ。台石の中央部に香呂、皿、コップなどおまいり用品を収納できるよう、側板を両側に接着する。このことにより側板、前引き戸、後ろ引き戸に囲まれた香呂などおまいり用品を収納できる収納庫を作る。
その両側に特許登録３０１２２００号の石製灯籠用扉付き石製灯籠を台石及び側板に接着する。これらの上部に下面に前引き戸、後ろ引き戸用溝を彫りこんだ上面に香呂などおまいり用品を置くことができるようにデザインした天板石を接着する。できあがった本物品に前引き戸、後ろ引き戸をはめ込み完成とする。
【発明の効果】
【０００５】  石材で香呂などおまいり用品を収納できる収納庫を作り、その両側に特許登録３０１２２００号の石製灯籠用扉付き石製灯籠を接着し、前引き戸、後ろ引き戸を取り付け、上部にこれらおまいり用品を置くことができるような墓石用ロウソク立て付き香炉箱を製作した。このことにより以下のような問題点を解消できた。
（イ）特許登録３０１２２００号の扉付き石製灯籠は軽量、高価であり、盗難、いたずらなどにより、紛失、あるいはその恐れがあるため購入をためらわせるものがあった。本考案は石製灯籠用扉付き石製灯籠を墓石用ロウソク立て香炉箱に組み込むことにより、重量が大になり、これを墓石本体に接着させることにより、この問題を解消できた。
（ロ）墓石本体と同石種で香炉箱を作り、同石種で特許登録３０１２２００号の石製灯籠用扉付き石製灯籠を組み込むことにより、石材の中に線香立て、ロウソク立ての金具が内部に組み込まれているステンレス製の箱をはめ込んだものよりも、いっそう高級感のある墓石用ロウソク立て付き香炉箱が製作できた。
（ハ）特許登録３０１２２００号の石製灯籠扉付き石製灯籠を墓石本体に接着した墓石においては、これらの間にゴミがたまりきれいに清掃することが困難であったが、本考案の墓石用ロウソク立て付き香炉箱ではそのようなこともなく、収納庫、石製灯籠用扉付き石製灯籠などを、一体に組み込むことによりスッキリしたデザインにすることができた。
（ニ）香炉に収納する機能をもたせた墓石用ロウソク立て香炉箱を製作したことにより、神教においては水、酒のためのコップ、塩、米のための皿、仏教の浄土真宗では横に寝かせて使用できる香呂、その他、故人の使用していた、ぐい飲み、茶碗なども収納でき、おまいりの度に、これらの用品を使用できるようになった。
（ホ）納骨時には墓石納骨入り口部の前面にある本考案の墓石用ロウソク立て付き香炉箱の前引き戸を開け、中の香呂などおまいり用品を取り出し、後ろ引き戸を開ける。遺骨を本香炉箱を通過させて墓石本体の遺骨収納部に収める。このような納骨方法としたため、重い香炉をずらすことなく墓石本体に接触させて欠けることもなく、女性、老人でも簡単に納骨することができるようになった。
（ヘ）一部で使われ始めた石材の中に線香立て、ロウソク立ての金具が内部に組み込まれているステンレス製の箱をはめ込んだ香炉においては、内部で線香、ロウソクなどを使用するように作られているため、煤などで黒く汚れる問題があった。本考案の墓石用ロウソク立て付き香炉箱では、香呂を取り出し本考案の香炉箱の上に置き使用できるような形状としたため、この問題を解決できた。
【発明を実施するための最良の形態】
【０００６】  以下、本発明の実施の形態を説明する。
（イ）台石（１）を製作し、上面に台石前引き戸用溝（８）、台石後ろ引き戸用溝（９）を彫りこむ。
（ロ）収納空間部（１２）を作るため側板（２）を台石（１）に接着する。
（ハ）台石（１）に石製灯籠用扉（６）を取り付けた石製灯籠（５）を接着する。
（ニ）天板石（７）の下面に天板石前引き戸用溝（１０）、天板石後ろ引き戸用溝（１１）を彫りこむ。
（ホ）天板石（７）を石製灯籠（５）、側板（２）に接着する。
（ヘ）組みあがった本考案の香炉箱に前石製引き戸（３）後ろ石製引き戸（４）をはめ込む。
（ト）前石製引き戸（３）を開き香呂（１３）などおまいり用品を納める。
（チ）本考案の香炉箱を墓石本体の納骨入り口前面に設置し接着する。
本考案は以上のような構造で、おまいりするときは
（一）石製灯籠用扉（６）を開きロウソクを立て、火をつける。風のない時はそのままでも良く、ある時は扉を閉める。
（二）前石製引き戸（３）を開き、中の香呂（１３）を取り出し天板石（７）の上に置き、線香に火をつけ、香呂の中に入れ使用する。
おまいりの終わった後は、今までの反対の順序で火を消し、香呂（１３）を収納し、扉を閉める。
納骨のときは、前石製引き戸（３）を開き、中の香呂（１３）などおまいり用品を取り出し、天板石（７）の上面に置き、後ろ石製引き戸（４）を開き、本考案の香炉箱を通過して遺骨をバラ状あるいは袋に入れて墓石の収納部に収める。収納が終わった後は、後ろ石製引き戸（４）を閉め、取り出した香呂（１３）などおまいり用品を収納空間部（１２）に収納し前石製引き戸（３）を閉め、納骨を終える。
【図面の簡単な説明】
【０００７】
【図１】本発明の正面図
【図２】本発明の側面図
【図３】本発明の香呂を取り出した状態の斜視図
【図４】本発明のＡ−Ａ線断面図
【符号の説明】
【０００８】  １    台石
２    側板
３    前石製引き戸
４    後ろ石製引き戸
５    石製灯籠
６    石製灯籠用扉
７    天板石
８    台石前引き戸用溝
９    台石後ろ引き戸用溝
１０  天板石前引き戸用溝
１１  天板石後ろ引き戸用溝
１２  収納空間部
１３  香呂
【図１】
2006070682.tif 000003
【図２】
2006070682.tif 000004
【図３】
2006070682.tif 000005
【図４】
2006070682.tif 000006